(57)【要約】【課題】開状態でも閉状態でも良好なアンテナ特性を実現することができる折り畳み型携帯電話機の提供。【解決手段】上部筐体１と下部筐体２とヒンジ部３とヒンジ部３近傍に配置したアンテナ４とを少なくとも備える折り畳み型携帯電話機において、ホールＩＣなどを用いて筐体の開閉状態を検出する開閉検出手段と、下部回路基板６に接続される上下接続切替回路９と、上部回路基板５と上下接続切替回路９とを接続する上下筐体接続金具８とを設け、上下接続切替回路９では、開閉検出手段からの開閉状態信号に基づいてＰＩＮダイオードなどをＯＮ／ＯＦＦさせることによってインピーダンスを変化させる。これにより、携帯電話機の開閉状態に応じて適切なインピーダンスに切り替えることができるため、開状態でも閉状態でも良好なアンテナ特性を実現することができる。【選択図】図１
2006295621.tif 000002
【特許請求の範囲】
【請求項１】
上部筐体と、下部筐体と、前記上部筐体と前記下部筐体とを開閉可能に接続するヒンジ部と、前記上部筐体又は前記下部筐体の一方の前記ヒンジ部近傍に配置されるアンテナとを少なくとも備える折り畳み型携帯電話機において、
前記上部筐体と前記下部筐体との開閉状態を検出して開閉状態信号を送出する開閉検出手段と、前記上部筐体側の構成部品又は前記下部筐体側の構成部品の一方に接続される切替手段と、前記上部筐体側の構成部品又は前記下部筐体側の構成部品の他方と前記切替手段とを接続する接続手段とを備え、
前記切替手段では、前記開閉状態信号に基づいて、前記上部筐体の構成部品と前記下部筐体の構成部品との間のインピーダンスを切り替えることを特徴とする折り畳み型携帯電話機。
【請求項２】
前記切替手段では、前記上部筐体と前記下部筐体とが閉状態の時は前記インピーダンスを第１の値に設定し、前記上部筐体と前記下部筐体とが開状態の時は前記インピーダンスを前記第１の値よりも大きい第２の値に設定することを特徴とする請求項１記載の折り畳み型携帯電話機。
【請求項３】
前記切替手段は、コンデンサとＰＩＮダイオードとを含み、前記開閉状態信号に基づいて前記ＰＩＮダイオードをＯＮ／ＯＦＦ制御することにより、前記コンデンサを用いて前記インピーダンスを変化させることを特徴とする請求項２記載の折り畳み型携帯電話機。
【請求項４】
前記切替手段は、共振回路とＰＩＮダイオードとを含み、前記開閉状態信号に基づいて前記ＰＩＮダイオードをＯＮ／ＯＦＦ制御することにより、前記共振回路を用いて前記インピーダンスを変化させることを特徴とする請求項２記載の折り畳み型携帯電話機。
【請求項５】
前記開閉検出手段は、前記上部筐体又は前記下部筐体の一方に配置されるホールＩＣと、前記上部筐体又は前記下部筐体の他方の前記ホールＩＣに対向する位置に配置されるマグネットとで構成されることを特徴とする請求項１乃至４のいずれか一に記載の折り畳み型携帯電話機。
【発明の詳細な説明】
【技術分野】
【０００１】
本発明は、折り畳み型携帯電話機に関し、特に、ヒンジ部近傍にアンテナが配置される折り畳み型携帯電話機のアンテナ特性に関する。
【背景技術】
【０００２】
近年の携帯電話機は、単純な折り畳みだけではなく、上部筐体が横回転するような構造や、自由に回転できる構造を持ったものなど、多種多様な携帯電話機が登場している。このような構造の携帯電話機では、デザインや実装の都合により、アンテナは下部筐体に配置されることが多い。下部筐体にアンテナを配置した一般的な折り畳み型携帯電話機の一例を図１１に示す。
【０００３】
図１１に示す従来の折り畳み型携帯電話機は、上部筐体１と、下部筐体２と、ヒンジ部３と、アンテナ４とで構成されている。上部筐体１には上部回路基板５や表示部１０などが、下部筐体２には下部回路基板６や電池１１などが収納されている。また、アンテナ４への給電は、下部回路基板６に実装された無線部とアンテナ４とが給電金具を介して接続することで行っている。
【０００４】
図１１に示す従来の折り畳み型携帯電話機のアンテナ特性を確保する方法として、例えば、特開２００２−２７０６６号公報のような方法がある。この公報では、上部筐体１と下部筐体２の両方のケースを、例えば、モールドのような絶縁物で構成する、もしくは、上部筐体１のケースはダイキャストのような金属で、下部筐体２のケースはモールドのような絶縁物で構成している。また、上部回路基板５と下部回路基板６とを接続する上下回路接続部７は、ヒンジ部３で１回巻かれた状態で配置し、上下回路接続部７にインダクタンスを持たせ、上部筐体１側と下部筐体２側の間に流れる高周波電流の量を減少させるように構成している。
【０００５】
このように、ヒンジ部３近傍にアンテナ４を配置した折り畳み型携帯電話機において、開いているときのアンテナ特性を確保するためには、上部筐体１側と下部筐体２側との間を電気的に切り離すように構成する必要がある。
【０００６】
【特許文献１】特開２００２−２７０６６号公報（第８〜１３頁、第１図）
【発明の開示】
【発明が解決しようとする課題】
【０００７】
図１２は、上部筐体と下部筐体間の接続インピーダンスを変化させたときの、９５０ＭＨｚにおける接続インピーダンスと放射効率の関係を示している。
【０００８】
本特性は、図１１に示す折り畳み型携帯電話機において、上下回路接続部７の代わりに、上部回路基板５と下部回路基板７との間にコイルまたはコンデンサを配置し、この定数を変化させることで上部筐体１側と下部筐体２側との間の接続インピーダンスを変化させている。図１３に実験に用いた携帯電話機の構成図を示す。なお、図１３に示す折り畳み型携帯電話機は、上部筐体１のケースをダイキャストで構成し、下部筐体２のケースをモールドで構成している。
【０００９】
図１２の放射効率に着目すると、携帯電話機が開いているときは、インピーダンスが＋６０ｊからＯＰＥＮ近傍のときが良く、閉じているときは、インピーダンスが−１００ｊから＋６０ｊ近傍のときが良いことがわかる。このように、良好なアンテナ特性を実現するためには、開いているときのインピーダンスと閉じているときのインピーダンスを別々に設定する必要があるが、従来の折り畳み型携帯電話機には、開閉状態に応じて上部筐体側と下部筐体側との間のインピーダンスを切り替えることができなかったため、開いているとき又は閉じているときのいずれかの状態では良好なアンテナ特性を実現することができないという問題があった。
【００１０】
本発明は、上記問題点に鑑みてなされたものであって、その主たる目的は、開いているときでも閉じているときでも良好なアンテナ特性を実現することができる折り畳み型携帯電話機を提供することにある。
【課題を解決するための手段】
【００１１】
上記目的を達成するため、本発明の折り畳み型携帯電話機は、上部筐体と、下部筐体と、前記上部筐体と前記下部筐体とを開閉可能に接続するヒンジ部と、前記上部筐体又は前記下部筐体の一方の前記ヒンジ部近傍に配置されるアンテナとを少なくとも備える折り畳み型携帯電話機において、前記上部筐体と前記下部筐体との開閉状態を検出して開閉状態信号を送出する開閉検出手段と、前記上部筐体側の構成部品又は前記下部筐体側の構成部品の一方に接続される切替手段と、前記上部筐体側の構成部品又は前記下部筐体側の構成部品の他方と前記切替手段とを接続する接続手段とを備え、前記切替手段では、前記開閉状態信号に基づいて、前記上部筐体の構成部品と前記下部筐体の構成部品との間のインピーダンスを切り替えるものである。
【００１２】
本発明においては、前記切替手段では、前記上部筐体と前記下部筐体とが閉状態の時は前記インピーダンスを第１の値に設定し、前記上部筐体と前記下部筐体とが開状態の時は前記インピーダンスを前記第１の値よりも大きい第２の値に設定する構成とすることができる。
【００１３】
また、本発明においては、前記切替手段は、コンデンサとＰＩＮダイオードとを含み、前記開閉状態信号に基づいて前記ＰＩＮダイオードをＯＮ／ＯＦＦ制御することにより、前記コンデンサを用いて前記インピーダンスを変化させる構成とすることもできる。
【００１４】
また、本発明においては、前記切替手段は、共振回路とＰＩＮダイオードとを含み、前記開閉状態信号に基づいて前記ＰＩＮダイオードをＯＮ／ＯＦＦ制御することにより、前記共振回路を用いて前記インピーダンスを変化させる構成とすることもできる。
【００１５】
また、本発明においては、前記開閉検出手段は、前記上部筐体又は前記下部筐体の一方に配置されるホールＩＣと、前記上部筐体又は前記下部筐体の他方の前記ホールＩＣに対向する位置に配置されるマグネットとで構成することができる。
【００１６】
このように、本発明は、携帯電話機の開閉状態に応じて適切なインピーダンスに設定することができるため、開いているときでも閉じているときでも良好なアンテナ特性を実現することができる。
【発明の効果】
【００１７】
以上説明したように、本発明の折り畳み型携帯電話機によれば、開いているとき及び閉じているときのどちらにおいても、良好なアンテナ特性を確保することができる。
【００１８】
その理由は、折り畳み型携帯電話機に、磁気的又は機械的に筐体の開閉状態を検出する開閉検出手段と、該開閉検出手段からの開閉状態信号に基づいてインピーダンスを変更する上下接続切替回路とを備えているため、折り畳み型携帯電話機の開閉状態に応じて、上部筐体側と下部筐体側との間のインピーダンスを切り替えることができるからである。
【発明を実施するための最良の形態】
【００１９】
本発明は、その好ましい一実施の形態において、上部筐体と、下部筐体と、ヒンジ部と、上部筐体又は下部筐体のヒンジ部近傍に配置したアンテナとを少なくとも備える折り畳み型携帯電話機において、ホールＩＣなどを用いた磁気的方法やボタン式スイッチなどを用いた機械的方法で筐体の開閉状態を検出する開閉検出手段と、上部筐体側の構成部品又は下部筐体側の構成部品の一方に接続される上下接続切替回路と、上部筐体側の構成部品又は下部筐体側の構成部品の他方と上下接続切替回路とを接続する上下筐体接続金具とを備え、上下接続切替回路では、開閉検出手段からの開閉状態信号に基づいてＰＩＮダイオードをＯＮ／ＯＦＦさせるなどによって上部筐体側の構成部品と下部筐体側の構成部品との間のインピーダンスを切り替える制御を行う。このような構成により、携帯電話機の開閉状態に応じて適切なインピーダンスに設定することができるため、開いているときでも閉じているときでも良好なアンテナ特性を実現することができる。
【実施例１】
【００２０】
上記した本発明の実施の形態についてさらに詳細に説明すべく、本発明の第１の実施例に係る折り畳み型携帯電話機について、図１乃至図６を参照して説明する。図１は、本発明の第１の実施例に係る折り畳み型携帯電話機の構成を模式的に示す斜視図であり、図２及び図３は、開閉検出手段の具体的構成を示す側面図である。また、図４は、上下接続切替回路の動作を模式的に示す図、図５は、上下接続切替回路の具体的構成を示す回路図であり、図６は、上部筐体側の構成部品と下部筐体側の構成部品との間のインピーダンス特性を示すスミス図である。
【００２１】
図１に示すように、本実施例の折り畳み型携帯電話機は、上部筐体１と、下部筐体２と、ヒンジ部３と、下部筐体ヒンジ部近傍に配置したアンテナ４と、開閉検出手段（図２及び図３に示す。）と、上下筐体接続金具８と、上下接続切替回路９とで構成されている。なお、本実施の形態の折り畳み型携帯電話機は、上部筐体１のケースをダイキャストで構成し、下部筐体２のケースをモールドで構成している。また、上部回路基板５と下部回路基板６を接続する上下回路接続部７を、ヒンジ部３で１回巻かれた状態で配置することによりインダクタンスを持たせ、上部筐体１と下部筐体２間に流れる高周波電流の量を減少させ、電気的に切り離すように構成されている。
【００２２】
上部筐体１には、上部回路基板５や表示部１０などが収納され、下部筐体２には下部回路基板６や電池１１などが収納されている。上下筐体接続金具８は、一方が上部回路基板５と、他方が上下接続切替回路９と接続するように構成されており、上下接続切替回路９は、上下筐体接続金具８と下部回路基板６との間に配置されている。また、上部筐体１のケースと上部回路基板５は接続して構成され、アンテナ４への給電は、下部回路基板６に実装された無線部とアンテナ４を給電金具を介して接続することで行っている。
【００２３】
なお、図１の構成は例示であり、各々の筐体の材料や構造、筐体内部の構成部品やその配置、ヒンジ部３の構造などは特に限定されない。また、図１では、上下筐体接続金具８は、上下接続切替回路９を介して上部回路基板５と下部回路基板６とを接続しているが、上下接続切替回路９を介して上部筐体１側の少なくとも１つの構成部品（上部筐体１自体又はその内部に収納される部品）と下部筐体２側の少なくとも１つの構成部品（下部筐体２自体又はその内部に収納される部品）とを接続する構成であればよい。
【００２４】
図２及び図３は、開閉検出手段の動作について示す図である。図２の開閉検出手段は、磁気量を電圧に変換して出力するホールＩＣ１２とマグネット１３などからなる磁気スイッチで構成されている。図２（ａ）は上部筐体１と下部筐体２とが閉じた状態を示しており、ホールＩＣ１２とマグネット１３が接近している。したがって、ホールＩＣ１２は閉じていることを示す開閉検出信号（ここではＨｉｇｈ信号）を出力する。また、図２（ｂ）は上部筐体１と下部筐体２とが開いている状態を示しており、ホールＩＣ１２とマグネット１３が離れている。したがって、ホールＩＣ１２は開いていることを示す開閉検出信号（ここではＬｏｗ信号）を出力する。
【００２５】
また、図３の開閉検出手段は、突起１５とボタン式スイッチ１４などからなる機械的なスイッチで構成されている。図３（ａ）は上部筐体１と下部筐体２とが閉じているときを示しており、突起１５がボタン式スイッチ１４を押すことによってスイッチがＯＮし、ボタン式スイッチ１４は閉じていることを示す開閉検出信号（ここではＨｉｇｈ信号）を出力する。また、図３（ｂ）は上部筐体１と下部筐体２とが開いているときを示しており、突起１５がボタン式スイッチ１４を押さないことによりスイッチがＯＦＦし、ボタン式スイッチ１４は開いていることを示す開閉検出信号（ここではＬｏｗ信号）を出力する。このような開閉検出手段を用いることで、携帯電話機の開閉状態を検出することができる。
【００２６】
なお、図２及び図３では開閉検出手段として磁気的又は機械的に動作するスイッチを示したが、携帯電話機の開閉状態を検出可能な他の手段（例えば、光学的に検出するスイッチなど）を用いることもできる。また、この開閉検出手段は本実施例の制御のために設けてもよいが、折り畳み型携帯電話機には、通常、開閉状態に応じて表示部１０のバックライトのＯＮ／ＯＦＦを制御するための開閉検出手段を備えているため、この開閉検出手段を本実施例の制御に利用してもよい。
【００２７】
図４は、上部筐体１側と下部筐体２側との間のインピーダンス切り替えの様子を示したブロック図である。図中のインピーダンスＡは、開いているときに最適なインピーダンスに、インピーダンスＢは、閉じているときに最適なインピーダンスにそれぞれ調整されている。スイッチの切り替えは、開閉検出手段からの開閉検出信号により実施している。具体的には、開いているとき、スイッチはインピーダンスＡと接続し、閉じているとき、スイッチはインピーダンスＢと接続するように構成されており、上部筐体１側の構成部品と下部筐体２側の構成部品との間のインピーダンスはそれぞれの状態で、最適なインピーダンスが実現できる。本発明では、上記インピーダンスの切り替えは、上下接続切替回路９を用いて行っている。以下に、上下接続切替回路９の具体例な説明を行う。
【００２８】
図５は、上下接続切替回路９の具体的な構成を示す回路図である。本実施例の上下接続切替回路９は、ＰＩＮダイオードのＯＮとＯＦＦにより、上部筐体１側の構成部品と下部筐体２側の構成部品との間のインピーダンスを切り替えている。上下接続切替回路９の動作は次の通りである。携帯電話機を開いているときは、開閉検出手段からＬｏｗの開閉検出信号が出力されるためＰＩＮダイオードはＯＦＦし、非導通状態となる。一方、閉じているときは、開閉検出手段からＨｉｇｈの開閉検出信号が出力されるためＰＩＮダイオードはＯＮし、導通状態となる。
【００２９】
図６は、第１の実施例における上部筐体１側の構成部品と下部筐体２側の構成部品との間のインピーダンス特性を示したスミス図であり、図６（ａ）は開いているときを、図６（ｂ）に閉じているときを示している。なお、スミス図上には、実線で８００ＭＨｚから１０００ＭＨｚまでのインピーダンスを、点で９５０ＭＨｚのインピーダンスを示している。図６（ａ）を参照すると、ＰＩＮダイオードがＯＦＦしているとき、すなわち、開いているとき、９５０ＭＨｚのインピーダンス（図の黒丸）はＯＰＥＮ近傍に位置していることがわかる。また、図６（ｂ）を参照すると、ＰＩＮダイオードがＯＮしているとき、すなわち、閉じているとき、９５０ＭＨｚのインピーダンス（図の黒四角）はＳＨＯＲＴ近傍に位置していることがわかる。このインピーダンス時のアンテナ特性は、図１２より、開いているとき閉じているとき共に良好であることがわかる。
【００３０】
このようにＰＩＮダイオードのＯＮ、ＯＦＦを切り替えることで、開いているときと、閉じているときで、上部筐体１側の構成部品と下部筐体２側の構成部品との間のインピーダンスを変化させることができる。これにより、開いているときと閉じているとき、それぞれの状態で良好なアンテナ特性を得ることができる。
【実施例２】
【００３１】
次に、本発明の第２の実施例に係る折り畳み型携帯電話機について、図７及び図８を参照して説明する。図７は、上下接続切替回路の具体的構成を示す回路図であり、図８は、上部筐体側の構成部品と下部筐体側の構成部品との間のインピーダンス特性を示すスミス図である。
【００３２】
本実施例の上下接続切替回路９は、直列共振回路を用いて構成していることを特徴としている。直列共振回路を用いる利点は、直列共振回路の共振周波数を変化させることで、閉じているときのインピーダンスを任意に変更ができる点にある。なお、上下接続切替回路９以外の携帯電話機の構成については、第１の実施例と同様の構成となっている。
【００３３】
本回路構成における上下接続切替回路９の動作は次の通りである。携帯電話機を開いているときは、開閉検出手段からＬｏｗの開閉検出信号が出力されるためＰＩＮダイオードはＯＦＦし、非導通状態となる。このとき、上下接続切替回路９の直列共振回路は動作しない。一方、閉じているときは、開閉検出手段からＨｉｇｈの開閉検出信号が出力されるためＰＩＮダイオードはＯＮし、導通状態となる。このとき、上下接続切替回路９はコイルとコンデンサによる直列共振回路として動作する。
【００３４】
図８は、第２の実施例における上部筐体１側の構成部品と下部筐体２側の構成部品との間のインピーダンス特性を示したスミス図あり、図８（ａ）は開いているときを、図８（ｂ）は閉じているときを示している。なお、スミス図上には、実線で８００ＭＨｚから１０００ＭＨｚまでのインピーダンスを、点で９５０ＭＨｚのインピーダンスを示している。図８（ａ）を参照すると、ＰＩＮダイオードがＯＦＦしているとき、すなわち、開いているときの９５０ＭＨｚのインピーダンス（図の黒丸）はＯＰＥＮ近傍に位置していることがわかる。また、図８（ｂ）を参照すると、ＰＩＮダイオードがＯＮしているとき、すなわち、閉じているときの９５０ＭＨｚのインピーダンス（図の黒四角）は−２０ｊ近傍に位置していることがわかる。このインピーダンス時のアンテナ特性は、図１２より、開いているとき閉じているとき共に良好であることがわかる。
【００３５】
このように、上下接続切替回路９として直列共振回路を用いても上部筐体１側の構成部品と下部筐体２側の構成部品との間のインピーダンスを変化させることができ、開いているときと閉じているとき、それぞれの状態で良好なアンテナ特性を得ることができる。
【実施例３】
【００３６】
次に、本発明の第３の実施例に係る折り畳み型携帯電話機について、図９及び図１０を参照して説明する。図９は、上下接続切替回路の具体的構成を示す回路図であり、図１０は、上部筐体側の構成部品と下部筐体側の構成部品との間のインピーダンス特性を示すスミス図である。
【００３７】
本実施例の上下接続切替回路９は、並列共振回路を用いて構成していることを特徴としている。並列共振回路を用いる利点は、並列共振回路の共振周波数を変化させることで、開いているときのインピーダンスを任意に変更ができる点にある。なお、上下接続切替回路９以外の携帯電話機の構成については、第１の実施例と同様の構成となっている。
【００３８】
本回路構成における上下接続切替回路の動作は次の通りである。携帯電話機を開いているときは、開閉検出手段からＬｏｗの開閉検出信号が出力される。この信号はＮＯＴ素子を通過することでＨｉｇｈの信号となる。ＰＩＮダイオードにはＨｉｇｈの信号が入力されるためＰＩＮダイオードはＯＮし、導通状態となる。これにより、上下接続切替回路９はコイルとコンデンサによる並列共振回路として動作する。一方、閉じているときは、開閉検出手段からＨｉｇｈの開閉検出信号が出力される。この信号はＮＯＴ素子を通過することでＬｏｗの信号となる。ＰＩＮダイオードにはＬｏｗの信号が入力されるためＰＩＮダイオードはＯＦＦし、非導通状態となる。このとき、上下接続切替回路９の並列共振回路は動作せず、コンデンサのみが下部回路基板６と接続される。
【００３９】
図１０は、第３の実施例における上部筐体１側の構成部品と下部筐体２側の構成部品との間のインピーダンス特性を示したスミス図であり、図１０（ａ）は開いているときを、図１０（ｂ）は閉じているときを示している。なお、スミス図上には、実線で８００ＭＨｚから１０００ＭＨｚまでのインピーダンスを、点で９５０ＭＨｚのインピーダンスを示している。図１０（ａ）を参照すると、ＰＩＮダイオードがＯＮしているとき、すなわち、開いているときの９５０ＭＨｚのインピーダンス（図の黒丸）は＋１３０ｊ近傍に位置していることがわかる。また、図１０（ｂ）を参照すると、ＰＩＮダイオードがＯＦＦしているとき、すなわち、閉じているときの９５０ＭＨｚのインピーダンス（図の黒四角）は−２０ｊ近傍に位置していることがわかる。このインピーダンス時のアンテナ特性は、図１２より、開いているとき閉じているとき共に最適であることがわかる。
【００４０】
このように、上下接続切替回路９に並列共振回路を用いても、上部筐体１側の構成部品と下部筐体２側の構成部品との間のインピーダンスを変化させることができ、開いているときと閉じているとき、それぞれの状態で良好なアンテナ特性を得ることができる。また、並列共振回路による切り替えでは、閉じている時にＰＩＮダイオードがＯＦＦしているので、第１及び第２の実施例と比較して、待ち受け電流を削減する効果も持ち合わせている。
【００４１】
なお、上記各実施例では、開閉検出手段からの開閉検出信号に基づいてＰＩＮダイオードをＯＮ／ＯＦＦすることによってインピーダンスを変化させたが、本発明は上記実施例に限定されるものではなく、開閉検出手段からの開閉検出信号に基づいて、開状態のときにインピーダンスを大きく、閉状態のときにインピーダンスを小さくする制御が可能な構成であればよく、例えば、上下接続切替回路９に開閉検出信号と周波数信号を組み合わせることで、使用周波数に応じて、上部筐体と下部筐体間のインピーダンスを変化させることも可能である。
【００４２】
また、上記各実施例では、下部筐体２にアンテナ４を備える構成について記載したが、ヒンジ部３近傍の上部筐体１側にアンテナ４を備える携帯電話機においても、同様に適用することができる。
【産業上の利用可能性】
【００４３】
本発明は携帯電話機に限らず、開閉可能な一対の筐体とアンテナとを備える携帯端末やゲーム機などに対しても適用することができる。
【図面の簡単な説明】
【００４４】
【図１】本発明の第１の実施例に係る折り畳み型携帯無線機の構成を模式的に示す斜視図である。
【図２】本発明の第１の実施例に係る折り畳み型携帯電話機の開閉検出手段（磁気的スイッチ）の構成例を示す側面図である。
【図３】本発明の第１の実施例に係る折り畳み型携帯電話機の開閉検出手段（機械的スイッチ）の構成例を示す側面図である。
【図４】本発明の第１の実施例に係る折り畳み型携帯電話機のインピーダンス切り替え動作を模式的に示すブロック図である。
【図５】本発明の第１の実施例に係る折り畳み型携帯電話機の上下接続切替回路の構成例を示す回路図である。
【図６】本発明の第１の実施例に係る折り畳み型携帯電話機の上部筐体と下部筐体間のインピーダンスを示すスミス図である。
【図７】本発明の第２の実施例に係る折り畳み型携帯電話機の上下接続切替回路の構成例を示す回路図である。
【図８】本発明の第２の実施例に係る折り畳み型携帯電話機の上部筐体と下部筐体間のインピーダンスを示すスミス図である。
【図９】本発明の第３の実施例に係る折り畳み型携帯電話機の上下接続切替回路の構成例を示す回路図である。
【図１０】本発明の第３の実施例に係る折り畳み型携帯電話機の上部筐体と下部筐体間のインピーダンスを示すスミス図である。
【図１１】従来の折り畳み型携帯電話機の構成を模式的に示す斜視図である。
【図１２】折り畳み型携帯電話機の上部筐体と下部筐体間のインピーダンスと放射効率の関係を示す図(グラフ)である。
【図１３】実験に用いた折り畳み型携帯電話機の構成を示す側面図である。
【符号の説明】
【００４５】
１  上部筐体
２  下部筐体
３  ヒンジ部
４  アンテナ
５  上部回路基板
６  下部回路基板
７  上下回路接続部
８  上下筐体接続金具
９  上下接続切替回路
１０  表示部
１１  電池
１２  ホールＩＣ
１３  マグネット
１４  ボタン式スイッチ
１５  突起
１６  上下基板接続部
【図１】
2006295621.tif 000003
【図２】
2006295621.tif 000004
【図３】
2006295621.tif 000005
【図４】
2006295621.tif 000006
【図５】
2006295621.tif 000007
【図６】
2006295621.tif 000008
【図７】
2006295621.tif 000009
【図８】
2006295621.tif 000010
【図９】
2006295621.tif 000011
【図１０】
2006295621.tif 000012
【図１１】
2006295621.tif 000013
【図１２】
2006295621.tif 000014
【図１３】
2006295621.tif 000015